【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2000204077.tif 000001
の化合物またはその医薬的に許容し得る塩またはＣ1-8エステル。
上記式において、
Ｗは、式(ｉ)〜(xiii)
【化２】
2000204077.tif 000002
の１種であり；
Ｘ１はＯ、ＳまたはＮＲFであり；
Ｘ２は、ＯＨ、ＳＨまたはＮＨＲEであり；
ＲEおよびＲFのそれぞれは、ＨまたはＣ1-4アルキルであり；
Ｒ1およびＲ2のそれぞれは、独立して、Ｈ、Ｆ、ＮＯ2、ＢｒおよびＣｌから選択され
たものであり；
Ｒ3は、ＨまたはＦであり；
Ｒ4は、Ｈ,ＣｌまたはＣＨ3であり；
Ｒ5は、ＨまたはＣ3-4アルキルであり；そして
上述したそれぞれの炭化水素基は、場合によっては、独立してハロゲン、ヒドロキシル、アミノ、（アミノ）スルホニルおよびＮＯ2から選択された１〜３個の置換分によって置換されていてもよく；そして
上述したそれぞれの複素環式基は、場合によっては、独立してハロゲン、Ｃ3-4アルキル、Ｃ3-6シクロアルキル、Ｃ3-4アルケニル、Ｃ3-4アルキニル、フェニル、ヒドロキシル、アミノ、（アミノ）スルホニルおよびＮＯ2から選択された１〜３個の置換分によって置換されていてもよく、そしてそれぞれの置換分アルキル、シクロアルキル、アルケニル、アルキニルまたはフェニルは、場合によっては、独立してハロゲン、Ｃ1-2アルキル、ヒドロキシル、アミノおよびＮＯ2から選択された１〜２個の置換分によって置換されていてもよい。
【請求項２】  Ｒ1が臭素または塩素である請求項１記載の化合物。
【請求項３】  Ｒ2が弗素である請求項１記載の化合物。
【請求項４】  Ｒ3がＨである請求項１記載の化合物。
【請求項５】  Ｒ2およびＲ3のそれぞれがＨである請求項４の化合物。
【請求項６】  Ｒ2およびＲ3のそれぞれが弗素である請求項１記載の化合物。
【請求項７】  Ｒ1が臭素である請求項６記載の化合物。
【請求項８】  Ｒ1が弗素である請求項６記載の化合物。
【請求項９】  Ｒ2がニトロである請求項１の化合物。
【請求項１０】  Ｒ3がＨである請求項８記載の化合物。
【請求項１１】  Ｒ4が塩素である請求項１記載の化合物。
【請求項１２】  Ｒ4がメチルである請求項１記載の化合物。
【請求項１３】  Ｒ5がＨである請求項１記載の化合物。
【請求項１４】  Ｒ5がＣＨ3である請求項１記載の化合物。
【請求項１５】  Ｘ1がＯまたはＳである請求項１記載の化合物。
【請求項１６】  Ｘ1がＮＨまたはＮＣＨ3である請求項１記載の化合物。
【請求項１７】  Ｘ2がＯＨ、ＳＨまたはＮＨ2である請求項１記載の化合物。
【請求項１８】  Ｘ2がＮＨＣＨ3またはＯＨである請求項１記載の化合物。
【請求項１９】  請求項１記載の化合物および医薬的に許容し得る担体からなる医薬組成物。
【請求項２０】  構造：〔５−フルオロ−２−（１Ｈ−テトラゾール−５−イル）−フェニル〕−（４−ヨード−２−メチル−フェニル）−アミン；〔２,３−ジフルオロ−６−（１Ｈ−テトラゾール−５−イル）−フェニル〕−（４−ヨード−２−メチル−フェニル）−アミン；（４−ヨード−２−メチル−フェニル）−〔２,３,４−トリフルオロ−６−（１Ｈ−テトラゾ−ル−５−イル）−フェニル〕−アミン；〔４−ブロモ−２,３−ジフルオロ−６−（１Ｈ−テトラゾール−５−イル）−フェニル〕−（４−ヨード−２−メチル−フェニル）−アミン；〔５−フルオロ−４−ニトロ−２−（１Ｈ−テトラゾール−５−イル）−フェニル〕−（４−ヨード−２−メチル−フェニル）−アミン；〔２−（４,４−ジメチル−４,５−ジヒドロ−オキサゾール−２−イル）−５−フルオロ−フェニル〕−（４−ヨード−２−メチル−フェニル）−アミン；〔６−（４,４−ジメチル−４,５−ジヒドロ−オキサゾール−２−イル）−２,３−ジフルオロ−フェニル〕−（４−ヨード−２−メチル−フェニル）−アミン；〔６−（４,４−ジメチル−４,５−ジヒドロ−オキサゾール−２−イル）−２,３,４−トリフルオロ−フェニル〕−（４−ヨード−２−メチル−フェニル）−アミン；〔４−ブロモ−６−（４,４−ジメチル−４,５−ジヒドロ−オキサゾール−２−イル）−２,３−ジフルオロ−フェニル〕−（４−ヨード−２−メチル−フェニル）−アミン；〔２−（４,４−ジメチル−４,５−ジヒドロ−オキサゾール−２−イル）−５−フルオロ−４−ニトロ−フェニル〕−（４−ヨード−２−メチル−フェニル）−アミン；５−〔４−フルオロ−２−（４−ヨード−２−メチル−フェニルアミノ）−フェニル〕−〔１,３,４〕チアジアゾール−２−オール；５−〔３,４−ジフルオロ−２−（４−ヨード−２−メチル−フェニルアミノ）−フェニル〕−〔１,３,４〕チアジアゾール−２−オール；５−〔３,４,５−トリフルオロ−２−（４−ヨード−２−メチル−フェニルアミノ）−フェニル〕−〔１,３,４〕チアジアゾール−２−オール；５−〔５−ブロモ−３,４−ジフルオロ−２−（４−ヨード−２−メチル−フェニルアミノ）−フェニル〕−〔１,３,４〕チアジアゾール−２−オール；５−〔４−フルオロ−２−（４−ヨード−２−メチル−フェニルアミノ）−５−ニトロ−フェニル〕−〔１,３,４〕チアジアゾール−２−オール；５−〔４−フルオロ−２−（４−ヨード−２−メチル−フェニルアミノ）−フェニル〕−〔１,３,４〕オキサジアゾール−２−オール；５−〔３,４−ジフルオロ−２−（４−ヨード−２−メチル−フェニルアミノ）−フェニル〕−〔１,３,４〕オキサジアゾール−２−オール；５−〔３,４,５−トリフルオロ−２−（４−ヨード−２−メチル−フェニルアミノ）−フェニル〕−〔１,３,４〕オキサジアゾール−２−オール；５−〔５−ブロモ−３,４−ジフルオロ−２−（４−ヨード−２−メチル−フェニルアミノ）−フェニル〕−〔１,３,４〕オキサジアゾール−２−オール；５−〔４−フルオロ−２−（４−ヨード−２−メチル−フェニルアミノ）−５−ニトロ−フェニル〕−〔１,３,４〕オキサジアゾール−２−オール；５−〔４−フルオロ−２−（４−ヨード−２−メチル−フェニルアミノ）−フェニル〕−４Ｈ−〔１,２,４〕トリアゾール−３−オール；５−〔３,４−ジフルオロ−２−（４−ヨード−２−メチル−フェニルアミノ）−フェニル〕−４Ｈ−〔１,２,４〕トリアゾール−３−オール；５−〔３,４,５−トリフルオロ−２−（４−ヨード−２−メチル−フェニルアミノ）−フェニル〕−４Ｈ−〔１,２,４〕トリアゾール−３−オール；５−〔５−ブロモ−３,４−ジフルオロ−２−（４−ヨード−２−メチル−フェニルアミノ）−フェニル〕−４Ｈ−〔１,２,４〕トリアゾール−３−オール；または５−〔４−フルオロ−２−（４−ヨード−２−メチル−フェニルアミノ）−５−ニトロ−フェニル〕−４Ｈ−〔１,２,４〕トリアゾール−３−オールを有する請求項１記載の化合物。
【請求項２１】  構造：５−〔４−フルオロ−２−（４−ヨード−２−メチル−フェニルアミノ）−フェニル〕−〔１,３,４〕チアジアゾール−２−イルアミン；５−〔３,４−ジフルオロ−２−（４−ヨード−２−メチル−フェニルアミノ）−フェニル〕−〔１,３,４〕チアジアゾール−２−イルアミン；５−〔３,４,５−トリフルオロ−２−（４−ヨード−２−メチル−フェニルアミノ）−フェニル〕−〔１,３,４〕チアジアゾール−２−イルアミン；５−〔５−ブロモ−３,４−ジフルオロ−２−（４−ヨード−２−メチル−フェニルアミノ）−フェニル〕−〔１,３,４〕チアジアゾール−２−イルアミン；５−〔４−フルオロ−２−（４−ヨード−２−メチル−フェニルアミノ）−５−ニトロ−フェニル〕−〔１,３,４〕チアジアゾール−２−イルアミン；５−〔４−フルオロ−２−（４−ヨード−２−メチル−フェニルアミノ）−フェニル〕−〔１,３,４〕オキサジアゾール−２−イルアミン；５−〔３,４−ジフルオロ−２−（４−ヨード−２−メチル−フェニルアミノ）−フェニル〕−〔１,３,４〕オキサジアゾール−２−イルアミン；５−〔３,４,５−トリフルオロ−２−（４−ヨード−２−メチル−フェニルアミノ）−フェニル〕−〔１,３,４〕オキサジアゾール−２−イルアミン；５−〔５−ブロモ−３,４−ジフルオロ−２−（４−ヨード−２−メチル−フェニルアミノ）−フェニル〕−〔１,３,４〕オキサジアゾール−２−イルアミン；５−〔４−フルオロ−２−（４−ヨード−２−メチル−フェニルアミノ）−５−ニトロ−フェニル〕−〔１,３,４〕オキサジアゾール−２−イルアミン；５−〔４−フルオロ−２−（４−ヨード−２−メチル−フェニルアミノ）−フェニル〕−４Ｈ−〔１,２,４〕トリアゾール−３−イルアミン；５−〔３,４−ジフルオロ−２−（４−ヨード−２−メチル−フェニルアミノ）−フェニル−４Ｈ−〔１,２,４〕トリアゾール−３−イルアミン；５−〔３,４,５−トリフルオロ−２−（４−ヨード−２−メチル−フェニルアミノ）−フェニル〕−４Ｈ−〔１,２,４〕トリアゾール−３−イルアミン；５−〔５−ブロモ−３,４−ジフルオロ−２−（４−ヨード−２−メチル−フェニルアミノ）−フェニル〕−４Ｈ−〔１,２,４〕トリアゾール−３−イルアミン；５−〔４−フルオロ−２−（４−ヨード−２−メチル−フェニルアミノ）−５−ニトロ−フェニル〕−４Ｈ−〔１,２,４〕トリアゾール−３−イルアミン；５−〔４−フルオロ−２−（４−ヨード−２−メチル−フェニルアミン）−フェニル〕−〔１,３,４〕チアジアゾール−２−チオール；５−〔３,４−ジフルオロ−２−（４−ヨード−２−メチル−フェニルアミノ）−フェニル〕−〔１,３,４〕チアジアゾール−２−チオール；５−〔３,４,５−トリフルオロ−２−（４−ヨード−２−メチル−フェニルアミノ）−フェニル〕−〔１,３,４〕チアジアゾール−２−チオール；５−〔５−ブロモ−３,４−ジフルオロ−２−（４−ヨード−２−メチル−フェニルアミノ）−フェニル〕−〔１,３,４〕チアジアゾール−２−チオール；５−〔４−フルオロ−２−（４−ヨード−２−メチル−フェニルアミノ）−５−ニトロ−フェニル〕−〔１,３,４〕チアジアゾール−２−チオール；５−〔４−フルオロ−２−（４−ヨード−２−メチル−フ��ニルアミノ）−フェニル〕−〔１,３,４〕オキサジアゾール−２−チオール；５−〔３,４−ジフルオロ−２−（４−ヨード−２−メチル−フェニルアミノ）−フェニル〕−〔１,３,４〕オキサジアゾール−２−チオール；５−〔３,４,５−トリフルオロ−２−（４−ヨード−２−メチル−フェニルアミノ）−フェニル〕−〔１,３,４〕オキサジアゾール−２−チオール；５−〔５−ブロモ−３,４−ジフルオロ−２−（４−ヨード−２−メチル−フェニルアミノ）−フェニル〕−〔１,３,４〕オキサジアゾール−２−チオール；５−〔４−フルオロ−２−（４−ヨード−２−メチル−フェニルアミノ）−５−ニトロ−フェニル〕−〔１,３,４〕オキサジアゾール−２−チオール；５−〔４−フルオロ−２−（４−ヨード−２−メチル−フェニルアミノ）−フェニル〕−４Ｈ−〔１,２,４〕トリアゾール−３−チオール；５−〔３,４−ジフルオロ−２−（４−ヨード−２−メチル−フェニルアミノ）−フェニル〕−４Ｈ−〔１,２,４〕トリアゾール−３−チオール；５−〔３,４,５−トリフルオロ−２−（４−ヨード−２−メチル−フェニルアミノ）−フェニル〕−４Ｈ−〔１,２,４〕トリアゾール−３−チオール；５−〔５−ブロモ−３,４−ジフルオロ−２−（４−ヨード−２−メチル−フェニルアミノ）−フェニル〕−４Ｈ−〔１,２,４〕トリアゾール−３−チオール；または５−〔４−フルオロ−２−（４−ヨード−２−メチル−フェニルアミノ）−５−ニトロ−フェニル〕−４Ｈ−〔１,２,４〕トリアゾール−３−チオールを有する請求項１記載の化合物。
【請求項２２】  構造：５−〔４−フルオロ−２−（４−ヨード−２−メチル−フェニルアミノ）−フェニル〕−イソチアゾール−３−オール；５−〔３,４−ジフルオロ−２−（４−ヨード−２−メチル−フェニルアミノ）−フェニル〕−イソチアゾール−３−オール；５−〔３,４,５−トリフルオロ−２−（４−ヨード−２−メチル−フェニルアミノ）−フェニル〕−イソチアゾール−３−オール；５−〔５−ブロモ−３,４−ジフルオロ−２−（４−ヨード−２−メチル−フェニルアミノ）−フェニル〕−イソチアゾール−３−オール；５−〔４−フルオロ−２−（４−ヨード−２−メチル−フェニルアミノ）−５−ニトロ−フェニル〕−イソチアゾール−３−オール；５−〔４−フルオロ−２−（４−ヨード−２−メチル−フェニルアミノ）−フェニル〕−イソキサゾール−３−オール；５−〔３,４−ジフルオロ−２−（４−ヨード−２−メチル−フェニルアミノ）−フェニル〕−イソキサゾール−３−オール；５−〔３,４,５−トリフルオロ−２−（４−ヨード−２−メチル−フェニルアミノ）−フェニル−イソキサゾール−３−オール；５−〔５−ブロモ−３,４−ジフルオロ−２−（４−ヨード−２−メチル−フェニルアミノ）−フェニル〕−イソキサゾール−３−オール；５−〔４−フルオロ−２−（４−ヨード−２−メチル−フェニルアミノ）−５−ニトロ−フェニル〕−イソキサゾール−３−オール；５−〔４−フルオロ−２−（４−ヨード−２−メチル−フェニルアミノ）−フェニル〕−１Ｈ−ピラゾール−３−オール；５−〔３,４−ジフルオロ−２−（４−ヨード−２−メチル−フェニルアミノ）−フェニル〕−１Ｈ−ピラゾール−３−オール；５−〔３,４,５−トリフルオロ−２−（４−ヨード−２−メチル−フェニルアミノ）−フェニル〕−１Ｈ−ピラゾール−３−オール；５−〔５−ブロモ−３,４−ジフルオロ−２−（４−ヨード−２−メチル−フェニルアミノ）−フェニル〕−１Ｈ−ピラゾール−３−オール；５−〔４−フルオロ−２−（４−ヨード−２−メチル−フェニルアミノ）−５−ニトロ−フェニル〕
−１Ｈ−ピラゾール−３−オール；４−〔４−フルオロ−２−（４−ヨード−２−メチル−フェニルアミノ）−フェニル〕−イソチアゾール−３−オール；４−〔３,４−ジフルオロ−２−（４−ヨード−２−メチル−フェニルアミノ）−フェニル〕−イソチアゾール−３−オール；４−〔３,４,５−トリフルオロ−２−（４−ヨード−２−メチル−フェニルアミノ）−フェニル〕−イソチアゾール−３−オール；４−〔５−ブロモ−３,４−ジフルオロ−２−（４−ヨード−２−メチル−フェニルアミノ）−フェニル〕−イソチアゾール−３−オール；４−〔４−フルオロ−２−（４−ヨード−２−メチル−フェニルアミノ）−５−ニトロ−フェニル〕−イソチアゾール−３−オール；４−〔４−フルオロ−２−（４−ヨード−２−メチル−フェニルアミノ）−フェニル〕−イソキサゾール−３−オール；４−〔３,４−ジフルオロ−２−（４−ヨード−２−メチル−フェニルアミノ）−フェニル〕−イソキサゾール−３−オール；４−〔３,４,５−トリフルオロ−２−（４−ヨード−２−メチル−フェニルアミノ）−フェニル〕−イソキサゾール−３−オール；４−〔５−ブロモ−３,４−ジフルオロ−２−（４−ヨード−２−メチル−フェニルアミノ）−フェニル〕−イソキサゾール−３−オール；４−〔４−フルオロ−２−（４−ヨード−２−メチル−フェニルアミノ）−５−ニトロ−フェニル〕−イソキサゾール−３−オール；４−〔４−フルオロ−２−（４−ヨード−２−メチル−フェニルアミノ）−フェニル〕−１−メチル−１Ｈ−ピラゾール−３−オール；４−〔３,４−ジフルオロ−２−（４−ヨード−２−メチル−フェニルアミノ）−フェニル〕−１−メチル−１Ｈ−ピラゾール−３−オール；１−メチル−４−〔３,４,５−トリフルオロ−２−（４−ヨード−２−メチル−フェニルアミノ）−フェニル〕−１Ｈ−ピラゾール−３−オール；４−〔５−ブロモ−３,４−ジフルオロ−２−（４−ヨード−２−メチル−フェニルアミノ）−フェニル〕−１−メチル−１Ｈ−ピラゾール−３−オール；または４−〔４−フルオロ−２−（４−ヨード−２−メチル−フェニルアミノ）−５−ニトロ−フェニル〕−１−メチル−１Ｈ−ピラゾール−３−オールを有する請求項１記載の化合物。
【請求項２３】  構造：５−〔２−（２−アミノ−４−ヨード−フェニルアミノ）−４−フルオロ−フェニル〕−１−メチル−１Ｈ−〔１,２,３〕トリアゾール−４−オール；５−〔２−（２−アミノ−４−ヨード−フェニルアミノ）−３,４−ジフルオロ−フェニル〕−１−メチル−１Ｈ−〔１,２,３〕トリアゾール−４−オール；５−〔２−（２−アミノ−４−ヨード−フェニルアミノ）−３,４,５−トリフルオロ−フェニル〕−１−メチル−１Ｈ−〔１,２,３〕トリアゾール−４−オール；５−〔２−（２−アミノ−４−ヨード−フェニルアミノ）−５−ブロモ−３,４−ジフルオロ−フェニル〕−１−メチル−１Ｈ−〔１,２,３〕トリアゾール−４−オール；５−〔２−（２−アミノ−４−ヨード−フェニルアミノ）−４−フルオロ−５−ニトロ−フェニル〕−１−メチル−１Ｈ−〔１,２,３〕トリアゾール−４−オール；５−〔４−フルオロ−２−（４−ヨード−２−メチル−フェニルアミノ）−フェニル〕−３−メチル−３Ｈ−〔１,２,３〕トリアゾール−４−オール；５−〔３,４−ジフルオロ−２−（４−ヨード−２−メチル−フェニルアミノ）−フェニル〕−３−メチル−３Ｈ−〔１,２,３〕トリアゾール−４−オール；３−メチル−５−〔３,４,５−トリフルオロ−２−（４−ヨード−２−メチル−フェニルアミノ）−フェニル〕−３Ｈ−〔１,２,３〕トリアゾール−４−オール；５−〔５−ブロモ−３,４−ジフルオロ−２−（４−ヨード−２−メチル−フェニルアミノ）−フェニル〕−３−メチル−３Ｈ−〔１,２,３〕トリアゾール−４−オール；５−〔４−フルオロ−２−（４−ヨード−２−メチル−フェニルアミノ）−５−ニトロ−フェニル〕−３−メチル−３Ｈ−〔１,２,３〕トリアゾール−４−オール；４−〔４−フルオロ−２−（４−ヨード−２−メチル−フェニルアミノ）−フェニル〕−２−メチル−２Ｈ−ピラゾール−３−オール；４−〔３,４−ジフルオロ−２−（４−ヨード−２−メチル−フェニルアミノ）−フェニル〕−２−メチル−２Ｈ−ピラゾール−３−オール；２−メチル−４−〔３,４,５−トリフルオロ−２−（４−ヨード−２−メチル−フェニルアミノ）−フェニル〕−２Ｈ−ピラゾール−３−オール；４−〔５−ブロモ−３,４−ジフルオロ−２−（４−ヨード−２−メチル−フェニルアミノ）−フェニル〕−２−メチル−２Ｈ−ピラゾール−３−オール；４−〔４−フルオロ−２−（４−ヨード−２−メチル−フェニルアミノ）−５−ニトロ−フェニル〕−２−メチル−２Ｈ−ピラゾール−３−オール；１−〔４−フルオロ−２−（４−ヨード−２−メチル−フェニルアミノ）−フェニル〕−４−メチル−１,４−ジヒドロ−テトラゾール−５−オン；１−〔３,４−ジフルオロ−２−（４−ヨード−２−メチル−フェニルアミノ）−フェニル〕−４−メチル−１,４−ジヒドロ−テトラゾール−５−オン；１−メチル−４−〔３,４,５−トリフルオロ−２−（４−ヨード−２−メチル−フェニルアミノ）−フェニル〕−１,４−ジヒドロ−テトラゾール−５−オン；１−〔５−ブロモ−３,４−ジフルオロ−２−（４−ヨード−２−メチル−フェニルアミノ）−フェニル〕−４−メチル−１,４−ジヒドロ−テトラゾール−５−オン；１−〔４−フルオロ−２−（４−ヨード−２−メチル−フェニルアミノ）−５−ニトロ−フェニル〕−４−メチル−１,４−ジヒドロ−テトラゾール−５−オン；１−〔４−フルオロ−２−（４−ヨード−２−メチル−フェニルアミノ）−フェニル〕−１Ｈ−〔１,２,３〕トリアゾール−４−オール；１−〔３,４−ジフルオロ−２−（４−ヨード−２−メチル−フェニルアミノ）−フェニル〕−１Ｈ−〔１,２,３〕トリアゾール−４−オール；１−〔３,４,５−トリフルオロ−２−（４−ヨード−２−メチル−フェニルアミノ）−フェニル〕−１Ｈ−〔１,２,３〕トリアゾール−４−オール；１−〔５−ブロモ−３,４−ジフルオロ−２−（４−ヨード−２−メチル−フェニルアミノ）−フェニル〕−１Ｈ−〔１,２,３〕トリアゾール−４−オール；または１−〔４−フルオロ−２−（４−ヨード−２−メチル−フェニルアミノ）−５−ニトロ−フェニル〕−１Ｈ−〔１,２,３〕トリアゾール−４−オールを有する請求項１記載の化合物。
【請求項２４】  構造：３−〔４−フルオロ−２−（４−ヨード−２−メチル−フェニルアミノ）−フェニル〕−２Ｈ−イソキサゾール−５−オン；３−〔３,４−ジフルオロ−２−（４−ヨード−２−メチル−フェニルアミノ）−フェニル〕−２Ｈ−イソキサゾール−５−オン；３−〔３,４,５−トリフルオロ−２−（４−ヨード−２−メチル−フェニルアミノ）−フェニル〕−２Ｈ−イソキサゾール−５−オン；３−〔５−ブロモ−３,４−ジフルオロ−２−（４−ヨード−２−メチル−フェニルアミノ）−フェニル−２Ｈ−イソキサゾール−５−オン；３−〔４−フルオロ−２−（４−ヨード−２−メチル−フェニルアミノ）−５−ニトロ−フェニル〕−２Ｈ−イソキサゾール−５−オン；〔５−フルオロ−２−（２−オキソ−２,３−ジヒドロ−２１＞４_−〔１,２,３,５〕オキサチアジアゾール−４−イル）−フェニル〕−（４−ヨード−２−メチル−フェニル）−アミン；〔２,３−ジフルオロ−６−（２−オキソ−２,３−ジヒドロ−２１＞４_−〔１,２,３,５〕オキサチアジアゾール−４−イル）−フェニル〕−（４−ヨード−２−メチル−フェニル）−アミン；（４−ヨード−２−メチル−フェニル）−〔２,３,４−トリフルオロ−６−（２−オキソ−２,３−ジヒドロ−２１＞４_−〔１,２,３,５〕オキサチアジアゾール−４−イル）−フェニル〕−アミン；〔４−ブロモ−２,３−ジフルオロ−６−（２−オキソ−２,３−ジヒドロ−２１＞４_−〔１,２,３,５〕オキサチアジアゾール−４−イル）−フェニル〕−（４−ヨード−２−メチル−フェニル）−アミン；〔５−フルオロ−４−ニトロ−２−（２−オキソ−２,３−ジヒドロ−２１＞４_−〔１,２,３,５〕オキサチアジアゾール−４−イル）−フェニル〕−（４−ヨード−２−メチル−フェニル）−アミン；４−〔４−フルオロ−２−（４−ヨード−２−メチル−フェニルアミノ）−フェニル〕−４Ｈ−イソキサゾール−５−オン；４−〔３,４−ジフルオロ−２−（４−ヨード−２−メチル−フェニルアミノ）−フェニル〕−４Ｈ−イソキサゾール−５−オン；４−〔３,４,５−トリフルオロ−２−（４−ヨード−２−メチル−フェニルアミノ）−フェニル〕−４Ｈ−イソキサゾール−５−オン；４−〔５−ブロモ−３,４−ジフルオロ−２−（４−ヨード−２−メチル−フェニルアミノ）−フェニル〕−４Ｈ−イソキサゾール−５−オン；または４−〔４−フルオロ−２−（４−ヨード−２−メチル−フェニルアミノ）−５−ニトローフェニル〕−４Ｈ−イソキサゾール−５−オンを有する請求項１記載の化合物。